(57)【要約】【課題】トレイに保持されるディスクの径の大小に関らず、排出されるディスクの回転を抑制でき、またユーザが触れてしまうことなどによるブレーキ手段の性能の低下を防止できるディスク装置を提供することを目的とする。【解決手段】筐体２から排出可能に設けられディスク１００を回転可能に保持するトレイ３と、筐体２に回動支点１５ａを設け、筐体２からトレイ３を排出する動作に応じて回動し、ディスク１００の排出方向の後半領域の側方に向かって移動し、ディスク１００の側面に当接してディスク１００の回転を抑制するブレーキ手段１５と、を具備したものである。【選択図】図２
2008217923.tif 000002
【特許請求の範囲】
【請求項１】
筐体から排出可能に設けられディスクを回転可能に保持するトレイと、
前記筐体に回動支点を設け、前記筐体から前記トレイを排出する動作に応じて回動し、前記ディスクの排出方向の後半領域の側方に向かって移動し、前記ディスクの側面に当接して前記ディスクの回転を抑制するブレーキ手段と、を具備したことを特徴とするディスク装置。
【請求項２】
前記ブレーキ手段の前記回動支点は排出側に設けられ、
一方、前記ディスクに当接する前記ブレーキ手段のディスク当接部は、前記トレイが前記筐体に収納されている状態で排出方向からみて前記筐体の側面に沿った位置に設けられている
ことを特徴とする請求項１記載のディスク装置。
【請求項３】
前記ブレーキ手段の前記回動支点は排出方向の奥側に設けられ、
一方、前記ディスクに当接する前記ブレーキ手段のディスク当接部は、前記トレイが前記筐体に収納されている状態で排出方向からみて前記筐体の奥の面に沿った位置に設けられている
ことを特徴とする請求項１記載のディスク装置。
【請求項４】
前記トレイは、前記ディスクを前記トレイ内の所定の位置に保持するため前記ディスクの外周に沿ってガイドを有し、このガイドは、前記ブレーキ手段の回動を案内するガイドを兼用することを特徴とする請求項１に記載のディスク装置。
【請求項５】
前記トレイは、前記ディスクを前記トレイ内の所定の位置に保持するため前記ディスクの外周に沿ってガイドを有し、
このガイドは、排出方向の後方を頂点とする山型形状であり、前記山型形状の内側で前記ディスクをガイドし、
前記ブレーキ手段は、前記山型形状の外側に沿って移動するガイド当接部を有し、
前記トレイを前記筐体に収納した際、前記ガイド当接部が、前記山型形状の外側の底部に到達すると、前記ブレーキ手段の回動支点と前記ガイド当接部とを結ぶ仮想線が前記筐体の側面に沿うことで、前記ブレーキ手段が前記筐体の側面に沿って配置されることを特徴とする請求項１に記載のディスク装置。
【請求項６】
ブレーキ手段は、前記筐体の排出側に回動支点を設け、また、前記回動支点とは反対側の領域に前記ディスク当接部を設け、
前記ディスク当接部と前記ガイド当接部との距離は、前記ガイド当接部と回動支点との距離より長いことを特徴とする請求項５に記載のディスク装置。
【請求項７】
前記筐体は、前記トレイが前記筐体から排出された際に、前記ブレーキ手段の回動終端を規制するストッパを有することを特徴とする請求項１に記載のディスク装置。
【請求項８】
前記筐体は、前記トレイが前記筐体から排出された際に、前記ガイド当接部が前記山型形状の頂点を越える前に前記ブレーキ手段の回動を規制するように、前記ブレーキ手段の回動終端を規制するストッパを有することを特徴とする請求項５に記載のディスク装置。
【請求項９】
前記筐体と前記ブレーキ手段とを連結する弾性部材を設け、この弾性部材は、前記トレイが前記筐体から排出される際に、前記回動支点を中心に前記ブレーキ手段を回動させて前記ブレーキ手段を前記ディスクの側面に押圧させることを特徴とする請求項１に記載のディスク装置。
【発明の詳細な説明】
【技術分野】
【０００１】
本発明は、ディスクを回転駆動し、ディスクに対して情報の記録または再生の少なくとも一方を行うディスク装置に関するものである。
【背景技術】
【０００２】
従来のディスク装置について説明する。
【０００３】
従来、ブレーキ手段を、筐体から排出可能に設けられディスクを回転可能に保持するトレイの、ディスク載置部の外周部分に回動可能に設けたディスク装置があった。このディスク装置において、ディスクが高速回転している状態で強制排出動作が行われると、ブレーキ手段は、トレイと共に排出されながらトレイの排出動作に伴って回動し、ディスクの側面に当接して回転を抑制していた（例えば、特許文献１参照。）。
【特許文献１】特開２００５−３４６８１３号公報
【発明の開示】
【発明が解決しようとする課題】
【０００４】
しかしながら、上記従来のディスク装置では、以下のような問題が生じていた。
【０００５】
即ち、直径の大きなディスクについては、トレイの排出動作に伴って回動したブレーキ手段が接触して回転を抑制するため、トレイが完全に引出された状態における直径の大きなディスクの回転は、ユーザが触れても安全な程度に十分に抑制される。しかし、直径が小さく排出の途中でブレーキ手段に接触しないようなディスクは、回転を抑制されることなく排出され、トレイが完全に引出された状態においても高速で回転している可能性があり、ユーザが触れると危険であった。
【０００６】
また、ディスク装置のトレイは、外部に排出されてユーザによってディスクの着脱が行われる。そのためトレイにブレーキ手段の回動支点が設けられていると、トレイが筐体から外部に排出された際に、ユーザがブレーキ手段に触れ、例えばブレーキ手段を変形させてしまうことなどにより、ブレーキ手段の性能が低下してしまう可能性があった。
【０００７】
そこで、本願発明は上記課題に鑑みてなされたものであって、トレイに保持されるディスクの径の大小に関らず、排出されるディスクの回転を抑制でき、またユーザが触れてしまうことなどによるブレーキ手段の性能の低下を防止できるディスク装置を提供することを目的とする。
【課題を解決するための手段】
【０００８】
本発明のディスク装置は上記課題を解決するためになされたものであって、筐体から排出可能に設けられディスクを回転可能に保持するトレイと、筐体に回動支点を設け、筐体からトレイを排出する動作に応じて回動し、ディスクの排出方向の後半領域の側方に向かって移動し、ディスクの側面に当接してディスクの回転を抑制するブレーキ手段と、を具備するものである。
【発明の効果】
【０００９】
本発明のディスク装置は上記構成により、ブレーキ手段は筐体から排出されるディスクに追従して、排出されるディスクの側面に当接するので、トレイに保持されるディスクの径の大小に関らず、排出されるディスクの回転を抑制できる。また、外部に排出されるトレイではなく、トレイを収納する筐体の内部にブレーキ手段の回動支点を設けたので、ブレーキ手段の性能の安定を図ることができる。
【発明を実施するための最良の形態】
【００１０】
上記課題を解決するため、請求項１に記載のディスク装置は、筐体から排出可能に設けられディスクを回転可能に保持するトレイと、筐体に回動支点を設け、筐体からトレイを排出する動作に応じて回動し、ディスクの排出方向の後半領域の側方に向かって移動し、ディスクの側面に当接してディスクの回転を抑制するブレーキ手段と、を具備したものである。
【００１１】
本発明によれば、筐体にブレーキ手段の回動支点を設けることにより、外部に排出されるトレイではなく、トレイを収納する筐体の内部にブレーキ手段の回動支点を設け、トレイが筐体から外部に排出された際に、ユーザがブレーキ手段に触れることを抑制できるので、ブレーキ手段の性能の安定を図ることができる。
【００１２】
また、ブレーキ手段を後半領域に向かって移動することにより、ブレーキ手段はトレイと共に排出されるディスクに追従するように移動するので、ディスクの排出を妨げることなくディスクの回転を抑制できる。
【００１３】
また、ブレーキ手段を後半領域に向かって移動することにより、ブレーキ手段は筐体から排出されるディスクに追従して、排出されるディスクの側面に当接するので、トレイに保持されるディスクの径の大小に関らず、排出されるディスクの回転を抑制できる。
【００１４】
また、ブレーキ手段を側方に向かって移動することにより、ブレーキ手段は、ディスクの排出方向に対して交差する方向からディスクに当接するが、ディスクは排出方向に対して交差する方向には移動しないトレイによって反対の側方から支えられており、ブレーキ手段がディスクを押圧する力は、ディスクの排出を助長する力に分散されることなく、ディスクの側面を押圧する力に集中するので、ブレーキ手段はディスクを押圧してディスクの回転を確実に抑制できる。
【００１５】
また、請求項２に記載のディスク装置は、請求項１に記載のディスク装置において、ブレーキ手段の回動支点は排出側に設けられ、一方、ディスクに当接するブレーキ手段のディスク当接部は、トレイが筐体に収納されている状態で排出方向からみて筐体の側面に沿った位置に設けられているものである。
【００１６】
本発明によれば、ブレーキ手段の回動支点を排出側に設け、一方、ディスクに当接するブレーキ手段のディスク当接部を、トレイが筐体に収納されている状態で排出方向からみて筐体の側面に沿った位置に設けることにより、ブレーキ手段は、ディスクの排出方向と直交する方向に向かって回動し、ディスクの側面に当接するので、ブレーキ手段の回動方向とブレーキ手段のディスクへの当接方向とを一致させることができる。その結果、ブレーキ手段のディスクに対する押圧力を、ディスクの排出を助長する力に分散することなく、ブレーキ手段の回動方向という簡易な構成でディスクをトレイの側面側に押圧する力に集中させることができ、ブレーキ手段はディスクを押圧してディスクの回転を確実に抑制できる。
【００１７】
また、ディスクに対して情報の記録や再生を行う際に、ブレーキ手段は筐体の側面に沿って退避していることになる。これによりブレーキ手段の長さを長く構成することができ、ブレーキ手段の可動範囲が広がって、筐体の側面から離れた位置となる直径の小さなディスクの側面位置にもブレーキ手段が到達可能となるので、直径の小さなディスクについても確実にディスクの回転を抑制できる。
【００１８】
また、トレイが筐体に収納され、ディスクに対する情報の記録や再生が行われる際には、ブレーキ手段はディスクに接触せず、ディスクがスピンドルモータによって自由に回転させられる状態となるので、スピンドルモータに不要な負荷をかけることなくディスクを回転させ、情報の記録や再生を行うことができる。
【００１９】
また、請求項３に記載のディスク装置は、請求項１に記載のディスク装置において、ブレーキ手段の回動支点は排出方向の奥側に設けられ、一方、ディスクに当接するブレーキ手段のディスク当接部は、トレイが筐体に収納されている状態で排出方向からみて筐体の奥の面に沿った位置に設けられているものである。
【００２０】
本発明によれば、ブレーキ手段の回動支点を排出方向の奥側に設け、一方、ディスクに当接するブレーキ手段のディスク当接部をトレイが筐体に収納されている状態で排出方向からみて筐体の奥の面に沿った位置に設けることにより、ブレーキ手段の回動によりブレーキ手段のディスク当接部をディスクの側方からディスクに当接させるので、ブレーキ手段は、ディスクの排出方向と交差する方向からディスクに当接し、ブレーキ手段のディスクに対する押圧力が、ディスクの排出を助長する力に分散される度合いを軽減し、ディスクをトレイの側面側に押圧する力を増加させることができる。その結果。ブレーキ手段はディスクを押圧してディスクの回転を確実に抑制できる。
【００２１】
また、ディスクに対して情報の記録や再生を行う際に、ブレーキ手段は筐体の奥の面に沿って退避していることになる。これによりブレーキ手段の長さを長く構成することができ、ブレーキ手段の可動範囲が広がって、筐体の側面から離れた位置となる直径の小さなディスクの側面位置にもブレーキ手段が到達可能となるので、直径の小さなディスクについても確実にディスクの回転を抑制できる。
【００２２】
また、トレイが筐体に収納され、ディスクに対する情報の記録や再生が行われる際には、ブレーキ手段はディスクに接触せず、ディスクがスピンドルモータによって自由に回転させられる状態となるので、スピンドルモータに不要な負荷をかけることなくディスクを回転させ、情報の記録や再生を行うことができる。
【００２３】
また、請求項４に記載のディスク装置は、請求項１に記載のディスク装置において、トレイは、ディスクをトレイ内の所定の位置に保持するためディスクの外周に沿ってガイドを有し、このガイドは、ブレーキ手段の回動を案内するガイドを兼用するものである。
【００２４】
本発明によれば、トレイが、ディスクをトレイ内の所定の位置に保持するためディスクの外周に沿ってガイドを有し、このガイドは、ブレーキ手段の回動を案内するガイドを兼用することにより、トレイに設けられた１つのガイドで、ディスクをトレイの所定位置に保持するとともにブレーキ手段の回動の向きをトレイの挿抜動作に応じて案内することができるので、トレイを極めて簡単な構成とすることができる。
【００２５】
また、請求項５に記載のディスク装置は、請求項１に記載のディスク装置において、トレイは、ディスクをトレイ内の所定の位置に保持するためディスクの外周に沿ってガイドを有し、このガイドは、排出方向の後方を頂点とする山型形状であり、山型形状の内側でディスクをガイドし、ブレーキ手段は、山型形状の外側に沿って移動するガイド当接部を有し、トレイを筐体に収納した際、ガイド当接部が、山型形状の外側の底部に到達すると、ブレーキ手段の回動支点とガイド当接部とを結ぶ仮想線が筐体の側面に沿うことで、ブレーキ手段が筐体の側面に沿って配置されるものである。
【００２６】
本発明によれば、トレイが、ディスクをトレイ内の所定の位置に保持するためディスクの外周に沿ってガイドを有し、このガイドが、排出方向の後方を頂点とする山型形状であり、山型形状の内側でディスクをガイドし、ブレーキ手段が、山型形状の外側に沿って移動するガイド当接部を有することにより、山型形状の一辺をディスクのトレイの所定位置への保持機能のために用い、一方、山型形状の他辺をブレーキ手段の案内機能のために用いて、１つのガイドをディスクのトレイの所定位置への保持機能とブレーキ手段の案内機能とに兼用できるので、トレイを極めて簡単な構成とすることができる。
【００２７】
ディスクのトレイの所定位置への保持機能については、トレイが、ディスクをトレイ内の所定の位置に保持するためディスクの外周に沿ってガイドを有し、このガイドが、排出方向の後方を頂点とする山型形状であり、山型形状の内側でディスクをガイドすることにより、トレイが引出された状態において、ユーザはガイドの山型形状の内側に沿わせてディスクを配置すれば、トレイにディスクを確実に装着することができるので、ディスクを容易に装着できるディスク装置を提供できる。
【００２８】
また、ブレーキ手段の案内機能については、トレイが、ディスクをトレイ内の所定の位置に保持するためディスクの外周に沿ってガイドを有し、このガイドが、排出方向の後方を頂点とする山型形状であり、ブレーキ手段が、山型形状の外側に沿って移動するガイド当接部を有し、トレイを筐体に収納した際、ガイド当接部が、山型形状の外側の底部に到達すると、ブレーキ手段の回動支点とガイド当接部とを結ぶ仮想線が筐体の側面に沿うことで、ブレーキ手段が筐体の側面に沿って配置されることにより、トレイが筐体に対して挿入されるに従い、ガイドの山型形状の外側によってガイド当接部が筐体の側面側に押され、それに伴ってブレーキ手段がディスクの側面から離れていくので、単純な形状のガイドを設けるだけで、トレイの筐体への収納が完了した状態では、スピンドルモータに不要な負荷をかけることなくディスクを回転させ、情報の記録や再生を行うことができる。
【００２９】
また、請求項６に記載のディスク装置は、請求項５に記載のディスク装置において、ブレーキ手段は、筐体の排出側に回動支点を設け、また、回動支点とは反対側の領域にディスク当接部を設け、ディスク当接部とガイド当接部との距離は、ガイド当接部と回動支点との距離より長いものである。
【００３０】
本発明によれば、ブレーキ手段が、筐体の排出側に回動支点を設け、また、回動支点とは反対側の領域にディスク当接部を設け、ディスク当接部とガイド当接部との距離が、ガイド当接部と回動支点との距離より長いことにより、回動支点からディスク当接部までの距離は、回動支点からガイド当接部までの距離に比べて倍以上の長さを有しており、ガイド当接部の移動量に比べてディスク当接部の移動量は倍以上に大きくなる。そのため、ガイド当接部をトレイのガイドに沿わせて小さく移動させるだけで、筐体の側面から離れた位置となる直径の小さなディスクの側面位置にディスク当接部が到達可能となるので、直径の小さなディスクについても確実にディスクの回転を抑制できる。
【００３１】
また、ディスク当接部の移動に必要となるガイド当接部の移動量は小さくてよく、ガイド当接部を沿わせて移動させるトレイのガイド自体を大きく構成する必要がないので、ディスク装置の大型化を防ぐことができる。
【００３２】
また、請求項７に記載のディスク装置は、請求項１に記載のディスク装置において、筐体は、トレイが筐体から排出された際に、ブレーキ手段の回動終端を規制するストッパを有するものである。
【００３３】
ブレーキ手段は回動支点を中心に回動するが、回動終端を規制するストッパがない場合、ブレーキ手段は必要以上に回動し、トレイの排出時や収納時に本来当接すべきディスク側面以外のディスク装置の他の部分に接触し、その部分やブレーキ手段自体に不具合を生じてしまう可能性がある。
【００３４】
本発明によれば、筐体が、トレイが筐体から排出された際に、ブレーキ手段の回動終端を規制するストッパを有することにより、トレイを筐体から排出する動作に応じて回動支点を中心に回動するブレーキ手段が、ストッパによって必要以上の回動を規制されることで、ブレーキ手段のディスク装置の他の部分への接触が抑制されるので、ディスク装置の不具合の発生を防ぎ、信頼性の高いディスク装置を提供できる。
【００３５】
また、請求項８に記載のディスク装置は、請求項５に記載のディスク装置において、筐体は、トレイが筐体から排出された際に、ガイド当接部が山型形状の頂点を越える前にブレーキ手段の回動を規制するように、ブレーキ手段の回動終端を規制するストッパを有するものである。
【００３６】
本発明によれば、筐体が、トレイが筐体から排出された際に、ガイド当接部が山型形状の頂点を越える前にブレーキ手段の回動を規制するように、ブレーキ手段の回動終端を規制するストッパを有することにより、トレイの排出が開始すると、ブレーキ手段は、ガイド当接部の移動に伴って回動し、ガイド当接部が山型形状の頂点を越える前の段階でストッパにより回動を規制され、それ以上トレイが排出されても回動しなくなる。ガイド当接部が山型形状の頂点よりも内側に外れることを防止できるので、トレイを再び筐体に収納する際に、ガイド当接部をガイドの山型形状の外側に確実に沿わせることができる。
【００３７】
また、請求項９に記載のディスク装置は、請求項１に記載のディスク装置において、筐体とブレーキ手段とを連結する弾性部材を設け、この弾性部材は、トレイが筐体から排出される際に、回動支点を中心にブレーキ手段を回動させてブレーキ手段をディスクの側面に押圧させるものである。
【００３８】
本発明によれば、筐体とブレーキ手段とを連結する弾性部材を設け、この弾性部材が、トレイが筐体から排出される際に、回動支点を中心にブレーキ手段を回動させてブレーキ手段をディスクの側面に押圧させることにより、ブレーキ手段はトレイの排出動作に伴って回動し、ディスクに近付いていき接触するが、弾性部材によって付勢されており、ディスクの側面に接触するだけではなく押付けられるので、ディスクの回転を確実に抑制することができる。
【００３９】
（実施の形態１）
以下、本発明の実施の形態について図面を参照しながら説明する。なお、本発明のディスク装置において情報の記録や再生を行う記録媒体としては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）、情報を干渉縞による体積ホログラムとして記録や再生を行うＨＶＤ（Ｈｏｌｏｇｒａｐｈｉｃ  Ｖｅｒｓａｔｉｌｅ  Ｄｉｓｃ）などの光ディスク、ＭＯディスク（ｍａｇｎｅｔ−ｏｐｔｉｃａｌ  ｄｉｓｋ）などの光磁気ディスク、及び磁気ディスク、及びその他にもディスク状の記憶媒体が考えられる。以下の説明では実施の形態の一例として、光ディスクを記憶媒体であるディスクとして装着し、情報の記録や再生を行うディスク装置について説明する。
【００４０】
図１は、実施の形態１のディスク装置の外観斜視図である。図１において、１はディスク装置、２は筐体、２ａは上部筐体部、２ｂは下部筐体部、２ｃは螺旋、３はトレイ、４は光ピックアップモジュール、５はレール、６はレール保持部、７はスピンドルモータ、８はカバー、８ａは開口、９はキャリッジ、１０はベゼル、１１はイジェクトボタン、１２はイジェクト穴、１３は光ピックアップ、１４はレールガイドである。
【００４１】
ディスク装置１は、筐体２と、筐体２に排出または収納可能に保持されたトレイ３を有している。筐体２は、金属や樹脂などにより構成された上部筐体部２ａと下部筐体部２ｂとを組み合わせて袋状に構成されており、筐体２の開口からトレイ３が排出または収納される構成となっている。トレイ３には、裏面から光ピックアップモジュール４が取り付けられている。
【００４２】
トレイ３は側面部にレール保持部６が設けられており、レール保持部６はレール５とトレイ３を移動可能に保持している。また、レール５は筐体２の側面部内面に設置されたレールガイド１４の内側に配置され、移動可能に保持されている。このような構成により、トレイ３が筐体２から排出されると、ディスクを着脱することができる。上部筐体部２ａと下部筐体部２ｂとは螺旋２ｃなどを用いて、互いに強固に固定されている。
【００４３】
光ピックアップモジュール４は、ディスクを回転駆動させるスピンドルモータ７と、スピンドルモータ７から外周にかけて開口８ａを設けたカバー８と、開口８ａから一部が露出したキャリッジ９を少なくとも有している。キャリッジ９は、光ピックアップモジュール４に設けられた複数の案内シャフトに移動可能に保持されており、図示しないフィードモータによって、スピンドルモータ７に近づいたり、離れたりするように移動できる。
【００４４】
ベゼル１０はトレイ３の前面に設けられ、筐体２の開口を塞ぐ程度の大きさで構成されている。キャリッジ９には、高出力のレーザーダイオード等の光源，各種光学部材及びディスク上に光スポットを構成する対物レンズなどが搭載されている。筐体２の奥部には固定して設けられた回路基板があり、回路基板には信号処理系のＩＣや電源回路などが搭載されている。トレイ３に設けられた図示しない回路基板同士を電気的に接続する屈曲可能な配線基板であるフレキシブルプリント基板（ＦＰＣ）は、略Ｕ字型に形成され、外部コネクタはコンピュータ等の電子機器に設けられた電源／信号ラインと接続される。そして、この外部コネクタを介してディスク装置１内に電力を供給したり、あるいは外部からの信号をディスク装置１内に導いたり、あるいはディスク装置１で生成された電気信号を電子機器などに送出する。
【００４５】
トレイ３の前端面に設けられたベゼル１０にはイジェクトボタン１１が設けられており、通常時にはこのイジェクトボタン１１を押すことで、トレイ３を筐体２から排出する。一方、イジェクトボタン１１を押しても、トレイ３が筐体２から排出されなくなった場合など、ユーザが強制的にディスクを強制排出（イジェクト）することが必要になった場合には、ベゼル１０に設けられたイジェクト穴１２にピン等を挿入することで、筐体２とトレイ３とのロック状態を解除し、筐体２からトレイ３を排出することができる。
【００４６】
次に、本実施の形態のディスク装置１において、装着されたディスクの回転を抑制するブレーキ手段について図２及び図３を用いて説明する。
【００４７】
図２は、実施の形態１のディスク装置の透視図であり、ディスク装置１に直径８ｃｍのディスクが装着された場合の例を示している。また、図３は、実施の形態１のディスク装置の透視図であり、ディスク装置１に直径１２ｃｍのディスクが装着された場合の例を示している。なお、図２及び図３では説明のため上部筐体部２ａを透明に示す。図２及び図３において、１５はブレーキ手段、１５ａは回動支点、１５ｂはディスク当接部、１５ｃはガイド当接部、１６は弾性部材、１７はストッパ、１８は固定ブレーキ部材、１００はディスクである。
【００４８】
図２に示すように、トレイ３は、筐体２から排出可能に設けられており、ディスク１００を回転可能に保持している。ディスク１００の回転を抑制するブレーキ手段１５は、筐体２の排出側に回動支点１５ａを有し、筐体２に対して回動可能に設けられている。またブレーキ手段１５は、回動支点１５ａとは反対側の領域にディスク当接部１５ｂを有し、ブレーキ手段１５に設けられたガイド当接部１５ｃの回動に伴って回動し、ディスク１００の側面に当接する。またブレーキ手段１５は、弾性部材１６を介して上部筐体部２ａと連結されており、上部筐体部２ａにはストッパ１７が設けられている。
【００４９】
ディスク装置１に直径８ｃｍのディスク１００が装着されて高速で回転している場合にディスク１００の強制排出動作が行われると、トレイ３の排出動作に伴ってブレーキ手段１５が筐体２に対して回動し、図２に示すように、ある段階でディスク１００の側面にディスク当接部１５ｂが当接してディスク１００の回転を抑制する。
【００５０】
ディスク装置１に直径１２ｃｍのディスク１００が装着されて高速で回転している場合にも、ディスク１００の強制排出動作が行われると、トレイ３の排出動作に伴ってブレーキ手段１５が筐体２に対して回動し、図３に示すように、ある段階でディスク１００の側面にディスク当接部１５ｂが当接してディスク１００の回転を抑制する。
【００５１】
なお、図１で説明したイジェクトボタン１１が押されてトレイ３を排出する通常の排出時であっても、イジェクト穴１２にピン等を挿入して強制的にトレイ３を排出する強制排出時であっても、本実施の形態においてブレーキ手段１５は、トレイ３の排出動作に伴って回動し、ディスク１００の側面に当接する。
【００５２】
また、固定ブレーキ部材１８は、トレイ３の排出方向からみて筐体２の側面に張出した状態で固定されている。このため、図３に示す直径１２ｃｍのディスク１００の強制排出動作において、ディスク１００は、排出される経路上に存在する固定ブレーキ部材１８にその側面が当接するので、固定ブレーキ部材１８によっても回転が抑制される。
【００５３】
次に、図２及び図３に示したブレーキ手段１５について図４及び図５を用いてより詳細に説明する。
【００５４】
図４及び図５は、実施の形態１のディスク装置のブレーキ手段を示す図であり、図４は斜視図、図５は側面図である。図４及び図５において、図２及び図３でも説明したように、１５はブレーキ手段、１５ａは回動支点、１５ｂはディスク当接部、１５ｃはガイド当接部、１５ｄはアーム部、１５ｅは接触部、１５ｆはスポンジ部、１５ｇは仮想線、１５ｈはベアリングである。
【００５５】
図４に示すように、ブレーキ手段１５は、ＳＵＳ等の金属を折り曲げ加工などの方法により成形したアーム部１５ｄの一端に、ベアリング１５ｈが設けられた回動支点１５ａを有し、アーム部１５ｄの他端にディスク当接部１５ｂを有している。接触部１５ｅとスポンジ部１５ｆとを有するディスク当接部１５ｂは、アーム部１５ｄの先端に折り曲げ加工により設けられた壁状の部分に、ディスク１００に当接する接触部１５ｅが図に斜線で示すスポンジ部１５ｆを介して設けられている。接触部１５ｅはディスク１００に当接し、摩擦によりディスク１００の回転を抑制する摩擦性の高い材質で構成されている。また、スポンジ部１５ｆは、クッション性の高いスポンジなどで構成されている。このような構成により、接触部１５ｅがディスク１００に当接した際に、スポンジ部１５ｆがディスク１００の形状に沿って接触部１５ｅと共に変形するので、接触部１５ｅとディスク１００との接触面積が広くなり、ディスク１００の回転をより効率よく抑制することができる。
【００５６】
図５に示すように、ブレーキ手段１５は図２及び図３で説明したトレイ３に設けられた後述するガイド３ａに沿って移動するガイド当接部１５ｃを有しており、回動支点１５ａとは反対側の領域にディスク当接部１５ｂを有し、ディスク当接部１５ｂとガイド当接部１５ｃとの距離ｘは、ガイド当接部１５ｃと回動支点１５ａとの距離ｙより長く構成されている。
【００５７】
次に、このブレーキ手段１５の筐体２との結合部分について図６及び図７を用いて説明する。
【００５８】
図６及び図７は、実施の形態１のディスク装置のブレーキ手段と筐体との結合部分を示す図である。なお、図６においては説明のため上部筐体部２ａを透明に示す。
【００５９】
図６及び図７に示すように、上部筐体部２ａと下部筐体部２ｂとを結合する螺旋２ｃによって、図７に斜線で示すブレーキ手段１５と筐体２とが結合している。ブレーキ手段１５の回動支点１５ａとなるベアリング１５ｈは、この螺旋２ｃによって上部筐体部２ａと下部筐体部２ｂとの間に保持され、筐体２に対して回転可能に設けられている。
【００６０】
次に、実施の形態１のディスク装置１の上部筐体部２ａについて図８を用いて説明する。
【００６１】
図８は、実施の形態１のディスク装置の上部筐体部を示す図であり、袋状に構成された筐体２の内側から上部筐体部２ａを見た図を示している。
【００６２】
図８に示すように、筐体２の上部筐体部２ａには、ＳＵＳなどの金属等で構成され、ブレーキ手段１５の回動終端を規制するストッパ１７が設けられている。また、上部筐体部２ａにおけるトレイ３の排出側には突起部２ｄが設けられている。この突起部２ｄに弾性部材１６の一端が引掛けられて固定され、ブレーキ手段１５のガイド当接部１５ｃに弾性部材１６の他端が引掛けられて固定されることにより、弾性部材１６がブレーキ手段１５と上部筐体部２ａとを結合しており、ブレーキ手段１５を上部筐体部２ａに対して付勢している。
【００６３】
ストッパ１７には、ブレーキ手段１５のアーム部１５ｄよりもスピンドルモータ７に装着されたディスク１００側（紙面手前側）に張出して構成された壁部１７ａが設けられており、トレイ３の排出に伴って紙面矢印方向に回動してきたアーム部１５ｄを係止することによりブレーキ手段１５の回動を規制する。
【００６４】
次に、トレイ３に設けられ、ブレーキ手段１５のガイド当接部１５ｃが当接するガイド３ａについて図９を用いて説明する。
【００６５】
図９は、実施の形態１のディスク装置のトレイを示す斜視図である。図９において、３はトレイ、３ａはガイド、３ｂは山型形状内側、３ｃは山型形状外側である。
【００６６】
図９に示すトレイ３に設けられたガイド３ａは、排出方向の後方を頂点とする山型形状に形成されており、山型形状の内側である山型形状内側３ｂでディスク１００をトレイ３内の所定の位置に案内するとともに、山型形状の外側である山型形状外側３ｃでガイド当接部１５ｃを案内することによりブレーキ手段１５の回動を案内する。
【００６７】
このように、トレイ３が、ディスク１００をトレイ３内の所定の位置に保持するためディスク１００の外周に沿ってガイド３ａを有し、このガイド３ａが、排出方向の後方を頂点とする山型形状であり、山型形状の内側でディスク１００をガイドし、ブレーキ手段１５が、山型形状の外側に沿って移動するガイド当接部１５ｃを有することにより、山型形状の一辺をディスク１００のトレイ３の所定位置への保持機能のために用い、一方、山型形状の他辺をブレーキ手段１５の案内機能のために用いて、１つのガイド３ａをディスク１００のトレイ３の所定位置への保持機能とブレーキ手段１５の案内機能とに兼用できるので、トレイ３を極めて簡単な構成とすることができる。
【００６８】
次に、以上のように構成されたディスク装置について、トレイ３が排出される際のブレーキ手段１５の動作を、図１０乃至図１７を用いて説明する。トレイ３及び、トレイ３に装着されたディスク１００は、ディスク装置１の筐体２に対して図１０乃至図１７の紙面下向きに排出される。
【００６９】
まず、図１０乃至図１３を用いて、ディスク装置１に直径８ｃｍのディスク１００が装着された場合の例について説明する。
【００７０】
図１０乃至図１３は、実施の形態１のディスク装置のトレイの排出動作を示す図であり、図１０は筐体２にトレイ３が収納されている状態を示し、図１１は図１０の状態からトレイ３が排出されてディスク当接部１５ｂがディスク１００の側面への当接を開始する際の状態を示し、図１２は図１１の状態からトレイ３がさらに排出されてディスク当接部１５ｂがディスク１００の側面から離れる際の状態を示し、図１３は図１２の状態からトレイ３がさらに排出されてトレイ３が筐体２から完全に引出された状態を示している。なお、図１０乃至図１３では説明のため上部筐体部２ａを透明に示しているが、図８を用いて説明したように、ストッパ１７は上部筐体部２ａに設けられたものである。
【００７１】
図１０に示すように、筐体２にトレイ３が収納されている状態において、ガイド当接部１５ｃは、トレイ３に設けられたガイド３ａの山型形状の外側である山型形状外側３ｃの底部に位置している。これにより、回動支点１５ａとガイド当接部１５ｃとを結ぶ仮想線１５ｇが筐体２の側面に沿った状態となり、ブレーキ手段１５に設けられたディスク当接部１５ｂは、トレイ３の排出方向からみて筐体２の側面に沿った位置に配置される。
【００７２】
このように、ディスク１００に対して情報の記録や再生を行う際に、ブレーキ手段１５は、筐体２の側面に沿って退避していることになる。これによりブレーキ手段１５の長さを長く構成することができ、ブレーキ手段１５の可動範囲が広がって、筐体２の側面から離れた位置となる直径の小さなディスク１００の側面位置にもブレーキ手段１５が到達可能となるので、直径８ｃｍのディスク１００のように直径の小さなディスク１００についても確実にディスク１００の回転を抑制できる。
【００７３】
また、トレイ３が筐体２に収納され、ディスク１００に対する情報の記録や再生が行われる際には、ブレーキ手段１５はディスク１００に接触せず、ディスク１００がスピンドルモータ７によって自由に回転させられる状態となるので、スピンドルモータ７に不要な負荷をかけることなくディスク１００を回転させ、情報の記録や再生を行うことができる。
【００７４】
次に、図１０の状態からトレイ３が排出される排出動作が開始すると、ガイド当接部１５ｃは、この排出動作に応じてトレイ３に設けられたガイド３ａの山型形状外側３ｃに沿って、山型形状外側３ｃに向かって付勢されながら移動する。ブレーキ手段１５は、図１１に破線で示すように、ガイド当接部１５ｃの移動に伴って回動支点１５ａを中心に回動し、ディスク１００の排出方向の後半領域の側方に向かって移動する。
【００７５】
その後、図１１に実線で示すように、ブレーキ手段１５の先端に設けられたディスク当接部１５ｂが、ディスク１００の側面に当接し始めると、ディスク１００の回転が抑制される。
【００７６】
ここでトレイ３は、筐体２に対して紙面下方向であるディスク１００の排出方向と紙面上方向であるディスク１００の収納方向とには移動可能であるが、それらと交差する方向である図１１の紙面左右方向には移動しない。このため、ブレーキ手段１５が、ディスク１００の排出方向の側方に向かって移動し、ディスク１００に当接しても、トレイ３はディスク１００の排出方向の側方には移動しないので、スピンドルモータ７を介してトレイ３に装着されているディスク１００も排出方向の側方には逃げることなく、ブレーキ手段１５によって効率よく押圧されることになる。つまり、ディスク１００の側面をブレーキ手段１５が押圧する力は、ディスク１００の排出を助長する力に分散されることなく、ディスク１００の側面を押圧する力に集中することになる。
【００７７】
このように、本実施の形態のディスク装置１では、ブレーキ手段１５をディスク１００の排出方向の側方に向かって移動することにより、ディスク１００は排出方向に対して交差する方向には移動しないトレイ３によって反対の側方から支えられているので、ブレーキ手段１５がディスク１００を押圧する力は、ディスク１００の排出を助長する力に分散されることなく、ディスク１００の側面を押圧する力に集中し、ブレーキ手段１５はディスク１００を押圧してディスク１００の回転を確実に抑制することができる。
【００７８】
また、本実施の形態のディスク装置１では、ブレーキ手段１５の回動支点１５ａを排出側に設け、一方、ディスク１００に当接するブレーキ手段１５のディスク当接部１５ｂを、トレイ３が筐体２に収納されている状態で排出方向からみて筐体２の側面に沿った位置に設けることにより、ブレーキ手段１５は、ディスク１００の排出方向と直交する方向に向かって回動し、ディスク１００の側面に当接するので、ブレーキ手段１５の回動方向とブレーキ手段１５のディスク１００への当接方向とを一致させることができる。その結果、ブレーキ手段１５のディスク１００に対する押圧力を、ディスク１００の排出を助長する力に分散することなく、ブレーキ手段１５の回動方向という簡易な構成でディスク１００をトレイ３の側面側に押圧する力に集中させることができ、ブレーキ手段１５はディスク１００を押圧してディスク１００の回転を確実に抑制できる。
【００７９】
次に、図１１の状態からトレイ３がさらに排出されると、ディスク当接部１５ｂがディスク１００の側面に当接しているので、ガイド当接部１５ｃは山型形状外側３ｃから離間する。ブレーキ手段１５は、弾性部材１６によってディスク１００の排出方向と直交する方向に向かって付勢されているので、ディスク当接部１５ｂをディスク１００の側面に押圧した状態を保ったままで回動支点１５ａを中心に回動する。
【００８０】
その後、図１２に示すようにトレイ３がさらに排出されると、ブレーキ手段１５のアーム部１５ｄが上部筐体部２ａに設けられたストッパ１７によって係止され、ブレーキ手段１５はそれ以上筐体２の排出側に回動することなく、回動終端が規制される。このときストッパ１７は、ガイド当接部１５ｃがガイド３ａの山型形状の頂点を越えて山型形状内側３ｂの領域に移動する前にブレーキ手段１５の回動を規制する。
【００８１】
図１２の状態からトレイ３がさらに排出されると、ブレーキ手段１５はストッパ１７によって回動を規制されるので、ディスク当接部１５ｂはディスク１００の側面から離れる。
【００８２】
仮に、回動終端を規制するストッパ１７がない場合、ブレーキ手段１５は弾性部材１６の力によって回動し続け、トレイ３の排出時や収納時にディスク１００の側面以外のディスク装置１の他の部分に接触し、その部分やブレーキ手段１５自体に不具合を生じてしまう可能性がある。
【００８３】
そこで、本実施の形態のディスク装置１では、筐体２が、トレイ３が筐体２から排出された際に、ブレーキ手段１５の回動終端を規制するストッパ１７を有することにより、トレイ３を筐体２から排出する動作に応じて回動支点１５ａを中心に回動するブレーキ手段１５が、ストッパ１７によって必要以上の回動を規制されることで、ブレーキ手段１５のディスク装置１の他の部分への接触が抑制されるので、ディスク装置１の不具合の発生を防ぎ、信頼性の高いディスク装置１を提供できる。
【００８４】
その後、図１３に示すように、トレイ３が筐体２から完全に引出された場合にも、ブレーキ手段１５はストッパ１７によって係止された状態を保つ。
【００８５】
ここで、トレイ３は、ディスク１００をトレイ３内の所定の位置に保持するためディスク１００の外周に沿ってガイド３ａを有し、このガイド３ａが、排出方向の後方を頂点とする山型形状であり、山型形状の内側である山型形状内側３ｂでディスク１００をガイドしているので、トレイ３が引出された状態において、ユーザはガイド３ａの山型形状内側３ｂに沿わせてディスク１００を配置すれば、トレイ３にディスク１００を確実に装着することができる。
【００８６】
以上、図１０乃至図１３を用いて説明してきたように、本実施の形態のディスク装置１では、筐体２にブレーキ手段１５の回動支点１５ａを設けることにより、外部に排出されるトレイ３ではなく、トレイ３を収納する筐体２の内部にブレーキ手段１５の回動支点１５ａを設け、トレイ３が筐体２から外部に排出された際に、ユーザがブレーキ手段１５に触れることを抑制できるので、ブレーキ手段１５の性能の安定を図ることができる。
【００８７】
また、ブレーキ手段１５をディスク１の排出方向の後半領域に向かって移動することにより、ブレーキ手段１５はトレイ３と共に排出されるディスク１００に追従するように移動するので、ディスク１００の排出を妨げることなくディスク１００の回転を抑制できる。
【００８８】
また、ブレーキ手段１５をディスク１の排出方向の後半領域に向かって移動することにより、ブレーキ手段１５は筐体２から排出されるディスク１００に追従して、排出されるディスク１００の側面に当接するので、トレイ３に保持されるディスク１００の径の大小に関らず、排出されるディスク１００の回転を抑制できる。
【００８９】
また、本実施の形態のディスク装置１では、トレイ３が、ディスク１００をトレイ３内の所定の位置に保持するためディスク１００の外周に沿ってガイド３ａを有し、このガイド３ａは、ブレーキ手段１５の回動を案内するガイド３ａを兼用することにより、トレイ３に設けられた１つのガイド３ａで、ディスク１００をトレイ３の所定位置に保持するとともにブレーキ手段１５の回動の向きをトレイ３の挿抜動作に応じて案内することができるので、トレイ３を極めて簡単な構成とすることができる。
【００９０】
また、本実施の形態のディスク装置１では、ブレーキ手段１５は、筐体２の排出側に回動支点１５ａを有し、また、回動支点１５ａとは反対側の領域にディスク当接部１５ｂを有し、ディスク当接部１５ｂとガイド当接部１５ｃとの距離が、ガイド当接部１５ｃと回動支点１５ａとの距離より長いことにより、回動支点１５ａからディスク当接部１５ｂまでの距離は、回動支点１５ａからガイド当接部１５ｃまでの距離に比べて倍以上の長さを有しており、ガイド当接部１５ｃの移動量に比べてディスク当接部１５ｂの移動量は倍以上に大きくなる。そのため、ガイド当接部１５ｃをトレイ３のガイド３ａに沿わせて小さく移動させるだけで、筐体２の側面から離れた位置となる直径の小さなディスク１００の側面位置にディスク当接部１５ｂが到達可能となるので、直径８ｃｍのディスク１００のように直径の小さなディスク１００についても確実にディスク１００の回転を抑制できる。一方、ディスク当接部１５ｂの移動に必要となるガイド当接部１５ｃの移動量は小さくてよく、ガイド当接部１５ｃを沿わせて移動させるトレイ３のガイド３ａ自体を大きく構成する必要がないので、ディスク装置１の大型化を防ぐことができる。
【００９１】
また、本実施の形態のディスク装置１では、筐体２とブレーキ手段１５とを連結する弾性部材１６を設け、この弾性部材１６が、トレイ３が筐体２から排出される際に、回動支点１５ａを中心にブレーキ手段１５を回動させてブレーキ手段１５をディスク１００の側面に押圧させることにより、ブレーキ手段１５はトレイ３の排出動作に伴って回動し、ディスク１００に近付いていき接触するが、弾性部材１６によって付勢されており、ディスク１００の側面に接触するだけではなく押付けられるので、ディスク１００の回転を確実に抑制することができる。
【００９２】
なお、本実施の形態のディスク装置１のトレイ３を筐体２に収納する場合の、ブレーキ手段１５の挙動は、以上に説明したトレイ３が排出される場合の逆になり、図１３、図１２、図１１、図１０の順になる。
【００９３】
図１０に示すようにトレイ３を筐体２に収納して、ガイド当接部１５ｃが、山型形状の外側である山型形状外側３ｃの底部に到達した場合、回動支点１５ａとガイド当接部１５ｃとを結ぶ仮想線１５ｇが筐体２の側面に沿うことで、ガイド当接部１５ｃが筐体２の側面に沿って配置される。
【００９４】
このように、本実施の形態のディスク装置１では、トレイ３が、ディスク１００をトレイ３内の所定の位置に保持するためディスク１００の外周に沿ってガイド３ａを有し、このガイド３ａが、排出方向の後方を頂点とする山型形状であり、ブレーキ手段１５が、山型形状の外側である山型形状外側３ｃに沿って移動するガイド当接部１５ｃを有し、トレイ３を筐体２に収納した際、ガイド当接部１５ｃが、山型形状外側３ｃの底部に到達すると、ブレーキ手段１５の回動支点１５ａとガイド当接部１５ｃとを結ぶ仮想線１５ｇが筐体２の側面に沿うことで、ブレーキ手段１５が筐体２の側面に沿って配置される。これにより、トレイ３が筐体２に対して挿入されるに従い、ガイド３ａの山型形状外側３ｃによってガイド当接部１５ｃが筐体２の側面側に押され、それに伴ってブレーキ手段１５がディスク１００の側面から離れていくので、単純な形状のガイド３ａを設けるだけで、トレイ３の筐体２への収納が完了した状態では、スピンドルモータ７に不要な負荷をかけることなくディスク１００を回転させ、情報の記録や再生を行うことが可能となる。
【００９５】
また、本実施の形態のディスク装置１では、筐体２が、トレイ３が筐体２から排出された際に、ガイド当接部１５ｃが山型形状の頂点を越える前にブレーキ手段１５の回動を規制するように、ブレーキ手段１５の回動終端を規制するストッパ１７を有することにより、ガイド当接部１５ｃが山型形状の頂点よりも内側に外れることを防止できるので、トレイ３を再び筐体２に収納する際に、ガイド当接部１５ｃを確実にガイド３ａの山型形状外側３ｃに沿わせることができる。
【００９６】
次に、図１４乃至図１７を用いて、ディスク装置１に直径１２ｃｍのディスク１００が装着された場合の例について説明する。
【００９７】
図１４乃至図１７は、実施の形態１のディスク装置のトレイの排出動作を示す図であり、図１４は筐体２にトレイ３が収納されている状態を示し、図１５は図１４の状態からトレイ３が排出されてディスク当接部１５ｂがディスク１００の側面への当接を開始する際の状態を示し、図１６は図１５の状態からトレイ３がさらに排出されてディスク当接部１５ｂがディスク１００の側面から離れる際の状態を示し、図１７は図１６の状態からトレイ３がさらに排出されてトレイ３が筐体２から完全に引出された状態を示している。なお、図１４乃至図１７では説明のため上部筐体部２ａを透明に示しているが、図８を用いて説明したように、ストッパ１７は上部筐体部２ａに設けられたものである。
【００９８】
図１４に示すように、筐体２にトレイ３が収納されている状態において、ガイド当接部１５ｃは、トレイ３に設けられたガイド３ａの山型形状の外側である山型形状外側３ｃの底部に位置している。これにより、回動支点１５ａとガイド当接部１５ｃとを結ぶ仮想線１５ｇが筐体２の側面に沿った状態となり、ブレーキ手段１５に設けられたディスク当接部１５ｂは、トレイ３の排出方向からみて筐体２の側面に沿った位置に配置される。
【００９９】
このように、トレイ３が筐体２に収納され、ディスク１００に対する情報の記録や再生が行われる際には、ブレーキ手段１５はディスク１００に接触せず、ディスク１００がスピンドルモータ７によって自由に回転させられる状態となるので、スピンドルモータ７に不要な負荷をかけることなくディスク１００を回転させ、情報の記録や再生を行うことができる。
【０１００】
次に、図１４の状態からトレイ３が排出される排出動作が開始すると、ガイド当接部１５ｃは、この排出動作に応じてトレイ３に設けられたガイド３ａの山型形状外側３ｃに沿って、山型形状外側３ｃに向かって付勢されながら移動する。ブレーキ手段１５は、ガイド当接部１５ｃの移動に伴って回動支点１５ａを中心に回動し、図１５に示すように、ディスク１００の排出方向の後半領域の側方に向かって移動する。
【０１０１】
その後、図１５に示すように、ブレーキ手段１５の先端に設けられたディスク当接部１５ｂが、ディスク１００の側面に当接し始めると、ディスク１００の回転が抑制される。
【０１０２】
ここでトレイ３は、筐体２に対して紙面下方向であるディスク１００の排出方向と紙面上方向であるディスク１００の収納方向とには移動可能であるが、それらと交差する方向である図１５の紙面左右方向には移動しない。このため、ブレーキ手段１５が、ディスク１００の排出方向の側方に向かって移動し、ディスク１００に当接しても、トレイ３はディスク１００の排出方向の側方には移動しないので、スピンドルモータ７を介してトレイ３に装着されているディスク１００も排出方向の側方には逃げることなく、ブレーキ手段１５によって効率よく押圧されることになる。つまり、ディスク１００の側面をブレーキ手段１５が押圧する力は、ディスク１００の排出を助長する力に分散されることなく、ディスク１００の側面を押圧する力に集中することになる。なお、ディスク装置１に装着されている直径１２ｃｍのディスク１００は、図１０乃至図１３で説明した直径８ｃｍのディスク１００よりも直径が大きいため、図１５に示すディスク当接部１５ｂは、図１１で説明した場合よりもトレイ３の排出量が小さいうちからディスク１００の側面への当接を開始する。
【０１０３】
このように、本実施の形態のディスク装置１では、ブレーキ手段１５をディスク１００の排出方向の側方に向かって移動することにより、ディスク１００は排出方向に対して交差する方向には移動しないトレイ３によって反対の側方から支えられているので、ブレーキ手段１５がディスク１００を押圧する力は、ディスク１００の排出を助長する力に分散されることなく、ディスク１００の側面を押圧する力に集中し、ブレーキ手段１５はディスク１００を押圧してディスク１００の回転を確実に抑制することができる。
【０１０４】
また、本実施の形態のディスク装置１では、ブレーキ手段１５の回動支点１５ａを排出側に設け、一方、ディスク１００に当接するブレーキ手段１５のディスク当接部１５ｂを、トレイ３が筐体２に収納されている状態で排出方向からみて筐体２の側面に沿った位置に設けることにより、ブレーキ手段１５は、ディスク１００の排出方向と直交する方向に向かって回動し、ディスク１００の側面に当接するので、ブレーキ手段１５の回動方向とブレーキ手段１５のディスク１００への当接方向とを一致させることができる。その結果、ブレーキ手段１５のディスク１００に対する押圧力を、ディスク１００の排出を助長する力に分散することなく、ブレーキ手段１５の回動方向という簡易な構成でディスク１００をトレイ３の側面側に押圧する力に集中させることができ、ブレーキ手段１５はディスク１００を押圧してディスク１００の回転を確実に抑制できる。
【０１０５】
次に、図１５の状態からトレイ３がさらに排出されると、ディスク当接部１５ｂがディスク１００の側面に当接しているので、ガイド当接部１５ｃは山型形状外側３ｃから離間する。ブレーキ手段１５は、弾性部材１６によってディスク１００の排出方向と直交する方向に向かって付勢されているので、ディスク当接部１５ｂをディスク１００の側面に押圧した状態を保ったままで回動支点１５ａを中心に回動する。
【０１０６】
その後、図１６に示すようにトレイ３がさらに排出されると、ブレーキ手段１５のアーム部１５ｄが上部筐体部２ａに設けられたストッパ１７によって係止され、ブレーキ手段１５はそれ以上筐体２の排出側に回動することなく、回動終端が規制される。このときストッパ１７は、ガイド当接部１５ｃがガイド３ａの山型形状の頂点を越えて山型形状内側３ｂの領域に移動する前にブレーキ手段１５の回動を規制する。
【０１０７】
図１６の状態からトレイ３がさらに排出されると、ブレーキ手段１５はストッパ１７によって回動を規制されるので、ディスク当接部１５ｂはディスク１００の側面から離れる。
【０１０８】
仮に、回動終端を規制するストッパ１７がない場合、ブレーキ手段１５は弾性部材１６の力によって回動し続け、トレイ３の排出時や収納時にディスク側面以外のディスク装置１の他の部分に接触し、その部分やブレーキ手段１５自体に不具合を生じてしまう可能性がある。
【０１０９】
そこで、本実施の形態のディスク装置１では、筐体２が、トレイ３が筐体２から排出された際に、ブレーキ手段１５の回動終端を規制するストッパ１７を有することにより、トレイ３を筐体２から排出する動作に応じて回動支点１５ａを中心に回動するブレーキ手段１５が、ストッパ１７によって必要以上の回動を規制されることで、ブレーキ手段１５のディスク装置１の他の部分への接触が抑制されるので、ディスク装置１の不具合の発生を防ぎ、信頼性の高いディスク装置１を提供できる。
【０１１０】
その後、図１７に示すように、トレイ３が筐体２から完全に引出された場合にも、ブレーキ手段１５はストッパ１７によって係止された状態を保つ。
【０１１１】
ここでトレイ３は、ディスク１００をトレイ３内の所定の位置に保持するためディスク１００の外周に沿ってガイド３ａを有し、このガイド３ａが、排出方向の後方を頂点とする山型形状であり、山型形状の内側である山型形状内側３ｂでディスク１００をガイドしているので、トレイ３が引出された状態において、ユーザはガイド３ａの山型形状内側３ｂに沿わせてディスク１００を配置すれば、トレイ３にディスク１００を確実に装着することができる。
【０１１２】
以上、図１４乃至図１７を用いて説明してきたように、本実施の形態のディスク装置１では、筐体２にブレーキ手段１５の回動支点１５ａを設けることにより、外部に排出されるトレイ３ではなく、トレイ３を収納する筐体２の内部にブレーキ手段１５の回動支点１５ａを設け、トレイ３が筐体２から外部に排出された際に、ユーザがブレーキ手段１５に触れることを抑制できるので、ブレーキ手段１５の性能の安定を図ることができる。
【０１１３】
また、ブレーキ手段１５をディスク１の排出方向の後半領域に向かって移動することにより、ブレーキ手段１５はトレイ３と共に排出されるディスク１００に追従するように移動するので、ディスク１００の排出を妨げることなくディスク１００の回転を抑制できる。
【０１１４】
また、ブレーキ手段１５をディスク１の排出方向の後半領域に向かって移動することにより、ブレーキ手段１５は筐体２から排出されるディスク１００に追従して、排出されるディスク１００の側面に当接するので、トレイ３に保持されるディスク１００の径の大小に関らず、排出されるディスク１００の回転を抑制できる。
【０１１５】
また、本実施の形態のディスク装置１では、トレイ３が、ディスク１００をトレイ３内の所定の位置に保持するためディスク１００の外周に沿ってガイド３ａを有し、このガイド３ａは、ブレーキ手段１５の回動を案内するガイド３ａを兼用することにより、トレイ３に設けられた１つのガイド３ａで、ディスク１００をトレイ３の所定位置に保持するとともにブレーキ手段１５の回動の向きをトレイ３の挿抜動作に応じて案内することができるので、トレイ３を極めて簡単な構成とすることができる。
【０１１６】
また、本実施の形態のディスク装置１では、筐体２とブレーキ手段１５とを連結する弾性部材１６を設け、この弾性部材１６が、トレイ３が筐体２から排出される際に、回動支点１５ａを中心にブレーキ手段１５を回動させてブレーキ手段１５をディスク１００の側面に押圧させることにより、ブレーキ手段１５はトレイ３の排出動作に伴って回動し、ディスク１００に近付いていき接触するが、弾性部材１６によって付勢されており、ディスク１００の側面に接触するだけではなく押付けられるので、ディスク１００の回転を確実に抑制することができる。
【０１１７】
なお、本実施の形態のディスク装置１のトレイ３を筐体２に収納する場合の、ブレーキ手段１５の挙動は、以上に説明したトレイ３が排出される場合の逆になり、図１７、図１６、図１５、図１４の順になる。
【０１１８】
図１４に示すようにトレイ３を筐体２に収納して、ガイド当接部１５ｃが、山型形状の外側である山型形状外側３ｃの底部に到達した場合、回動支点１５ａとガイド当接部１５ｃとを結ぶ仮想線１５ｇが筐体２の側面に沿うことで、ガイド当接部１５ｃが筐体２の側面に沿って配置される。
【０１１９】
このように、本実施の形態のディスク装置１では、トレイ３が、ディスク１００をトレイ３内の所定の位置に保持するためディスク１００の外周に沿ってガイド３ａを有し、このガイド３ａが、排出方向の後方を頂点とする山型形状であり、ブレーキ手段１５が、山型形状の外側である山型形状外側３ｃに沿って移動するガイド当接部１５ｃを有し、トレイ３を筐体２に収納した際、ガイド当接部１５ｃが、山型形状外側３ｃの底部に到達すると、ブレーキ手段１５の回動支点１５ａとガイド当接部１５ｃとを結ぶ仮想線１５ｇが筐体２の側面に沿うことで、ブレーキ手段１５が筐体２の側面に沿って配置される。これにより、トレイ３が筐体２に対して挿入されるに従い、ガイド３ａの山型形状外側３ｃによってガイド当接部１５ｃが筐体２の側面側に押され、それに伴ってブレーキ手段１５がディスク１００の側面から離れていくので、単純な形状のガイド３ａを設けるだけで、トレイ３の筐体２への収納が完了した状態では、スピンドルモータ７に不要な負荷をかけることなくディスク１００を回転させ、情報の記録や再生を行うことが可能となる。
【０１２０】
また、本実施の形態のディスク装置１では、筐体２が、トレイ３が筐体２から排出された際に、ガイド当接部１５ｃが山型形状の頂点を越える前にブレーキ手段１５の回動を規制するように、ブレーキ手段１５の回動終端を規制するストッパ１７を有することにより、ガイド当接部１５ｃが山型形状の頂点よりも内側に外れることを防止できるので、トレイ３を再び筐体２に収納する際に、ガイド当接部１５ｃを確実にガイド３ａの山型形状外側３ｃに沿わせることができる。
【０１２１】
次に、弾性部材１６がブレーキ手段１５を付勢する力について図１８を用いて説明する。
【０１２２】
図１８は、実施の形態１のディスク装置の弾性部材１６によって生じる力を示す図である。なお、図１８においても説明のため上部筐体部２ａを透明に示す。
【０１２３】
図１８に示すように、トレイ３が筐体２に収納されている状態では、弾性部材１６によって生じる力Ｆはトレイ３にかかる。より詳細には、弾性部材１６によってブレーキ手段１５のガイド当接部１５ｃが付勢されるが、ガイド当接部１５ｃはトレイ３に設けられたガイド３ａに当接しているため、弾性部材１６によって生じる力はトレイ３を付勢することになる。
【０１２４】
ここで、弾性部材１６によって生じる力が、本実施の形態のようにトレイ３自体を付勢する構成ではなく、トレイ３に設けられた光ピックアップモジュール４を付勢する構成となっている場合について考える。
【０１２５】
トレイ３に設けられた光ピックアップモジュール４にディスク１００を装着して情報の記録や再生を行うディスク装置１において、光ピックアップモジュール４は一般的に図に破線で示すダンパ４ａを介してトレイ３の裏面に設けられている。しかし、光ピックアップモジュール４がトレイ３に対して付勢されると、ダンパ４ａによるダンピング性能が低下して、ディスク装置１外部からの振動や衝撃の影響を受けやすくなり、記録や再生中にエラーが発生しやすくなる可能性がある。更に、ダンパ４ａのダンピング性能が低下すると、重心がディスク１００の回転中心からずれた偏重心ディスクや、記録面にぶれを有する面ぶれディスクなどを回転駆動させた際に発生する振動が、光ピックアップモジュール４からディスク装置１外部に伝わりやすくなり、それによって発生する振動や騒音がユーザに不快感を与える可能性がある。
【０１２６】
そこで、本実施の形態の構成では、トレイ３が筐体２に収納されており、ディスク１００に対して情報の記録や再生が行われる状態において、弾性部材１６によって生じる力が、光ピックアップモジュール４ではなく、トレイ３を付勢する構成となっている。これにより、光ピックアップモジュール４がトレイ３に対して付勢されることなく保持され、ダンパ４ａのダンピング性能が維持されるので、記録や再生中のエラーの発生を抑え、また、ユーザに不快感を与えにくいディスク装置１を提供することが可能となる。
【０１２７】
（実施の形態２）
実施の形態１では、ブレーキ手段１５の回動支点１５ａを排出側に設け、一方、ディスク１００に当接するブレーキ手段１５のディスク当接部１５ｂを、トレイ３が筐体２に収納されている状態では、排出方向からみて筐体２の側面に沿った位置に設けた例について説明したが、ブレーキ手段１５の回動支点１５ａを排出方向の奥側に設け、一方、ディスク１００に当接するブレーキ手段１５のディスク当接部１５ｂを、トレイ３が筐体２に収納されている状態では、排出方向からみて筐体２の奥の面に沿った位置に設けて構成することも同様に実施可能である。
【０１２８】
以下、本発明の実施の形態２について、本発明の実施の形態１と異なる点について、図１９乃至図２２に基づいて説明する。
【０１２９】
図１９乃至図２２は、実施の形態２のディスク装置のトレイ３の排出動作を示す図であり、ディスク装置１に直径８ｃｍのディスク１００が装着された場合の例を示している。図１９は筐体２にトレイ３が収納されている状態を示し、図２０は図１９の状態からトレイ３が排出されてディスク当接部１５ｂがディスク１００の側面への当接を開始する際の状態を示し、図２１は図２０の状態からトレイ３がさらに排出されてディスク当接部１５ｂがディスク１００の側面から離れる際の状態を示し、図２２は図２１の状態からトレイ３がさらに排出されてトレイ３が筐体２から完全に引出された状態を示している。なお、図１９乃至図２２では説明のため上部筐体部２ａを透明に示しているが、図８を用いて説明したように、ストッパ１７は上部筐体部２ａに設けられたものである。
【０１３０】
図１９乃至図２２に示すように、トレイ３に設けられたガイド３ａは、トレイ３上の排出方向からみて奥の位置に設けられている。
【０１３１】
まず、図１９に示すように、筐体２にトレイ３が収納されている状態において、ガイド当接部１５ｃは、筐体２の中においても排出方向からみて奥の位置に設けられたトレイ３のガイド３ａに係止している。これにより、回動支点１５ａとガイド当接部１５ｃとを結ぶ仮想線１５ｇが筐体２の奥の面に沿った状態となり、ブレーキ手段１５に設けられたディスク当接部１５ｂは、トレイ３の排出方向からみて筐体２の奥の面に沿った位置に配置される。
【０１３２】
このように、ディスク１００に対して情報の記録や再生を行う際に、ブレーキ手段１５は筐体２の奥の面に沿って退避していることになる。これによりブレーキ手段１５の長さを長く構成することができ、ブレーキ手段１５の可動範囲が広がって、筐体２の奥の面から離れた位置となる直径の小さなディスク１００の側面位置にもブレーキ手段１５が到達可能となるので、直径８ｃｍのディスク１００のように直径の小さなディスク１００についても確実にディスク１００の回転を抑制できる。
【０１３３】
また、トレイ３が筐体２に収納され、ディスク１００に対する情報の記録や再生が行われる際には、ブレーキ手段１５はディスク１００に接触せず、ディスク１００がスピンドルモータ７によって自由に回転させられる状態となるので、スピンドルモータ７に不要な負荷をかけることなくディスク１００を回転させ、情報の記録や再生を行うことができる。
【０１３４】
次に、図１９の状態からトレイ３が排出される排出動作が開始すると、ガイド当接部１５ｃは、この排出動作に応じてトレイ３に設けられたガイド３ａに沿って、ディスク１００の排出方向に向かって付勢されながら移動する。ブレーキ手段１５は、図２０に破線で示すように、ガイド当接部１５ｃの移動に伴って回動支点１５ａを中心に回動し、ディスク１００の排出方向の後半領域の側方に向かって移動する。
【０１３５】
その後、図２０に実線で示すように、ブレーキ手段１５の先端に設けられたディスク当接部１５ｂが、ディスク１００の側面に当接し始めると、ディスク１００の回転が抑制される。
【０１３６】
ここでトレイ３は、筐体２に対して紙面下方向であるディスク１００の排出方向と紙面上方向であるディスク１００の収納方向とには移動可能であるが、それらと交差する方向である図２０の紙面左右方向には移動しない。このため、ブレーキ手段１５が、ディスク１００の排出方向の側方に向かって移動し、ディスク１００に当接しても、トレイ３はディスク１００の排出方向の側方には移動しないので、スピンドルモータ７を介してトレイ３に装着されているディスク１００も排出方向の側方には逃げることなく、ブレーキ手段１５によって効率よく押圧されることになる。つまり、ディスク１００の側面をブレーキ手段１５が押圧する力は、ディスク１００の排出を助長する力に分散される度合いが軽減され、ディスク１００の側面を押圧する力が増加することになる。
【０１３７】
このように、本実施の形態のディスク装置１では、ブレーキ手段１５の回動支点１５ａを排出方向の奥側に設け、一方、ディスク１００に当接するブレーキ手段１５のディスク当接部１５ｂをトレイ３が筐体２に収納されている状態で排出方向からみて筐体２の奥の面に沿った位置に設けることにより、ブレーキ手段１５の回動によりブレーキ手段１５のディスク当接部１５ｂをディスク１００の側方からディスク１００に当接させるので、ブレーキ手段１５は、ディスク１００の排出方向と交差する方向からもディスク１００に当接し、ブレーキ手段１５のディスク１００に対する押圧力が、ディスク１００の排出を助長する力に分散される度合いを軽減し、ディスク１００をトレイ３の側面側に押圧する力を増加させることができる。その結果、ブレーキ手段１５はディスク１００を押圧してディスク１００の回転を確実に抑制できる。
【０１３８】
次に、図２０の状態からトレイ３がさらに排出されると、ディスク当接部１５ｂがディスク１００の側面に当接しているので、ガイド当接部１５ｃはトレイ３のガイド３ａから離間する。ブレーキ手段１５は、弾性部材１６によってディスク１００の排出方向に向かって付勢されているので、ディスク当接部１５ｂをディスク１００の側面に押圧した状態を保ったままで回動支点１５ａを中心に回動する。
【０１３９】
その後、図２１に示すようにトレイ３がさらに排出されると、ブレーキ手段１５のアーム部１５ｄが上部筐体部２ａに設けられたストッパ１７によって係止され、ブレーキ手段１５はそれ以上筐体２の排出側に回動することなく、回動終端が規制される。
【０１４０】
図２１の状態からトレイ３がさらに排出されると、ブレーキ手段１５はストッパ１７によって回動を規制されるので、ディスク当接部１５ｂはディスク１００の側面から離れる。
【０１４１】
仮に、回動終端を規制するストッパ１７がない場合、ブレーキ手段１５は弾性部材１６の力によって回動し続け、トレイ３の排出時や収納時にディスク側面以外のディスク装置１の他の部分に接触し、その部分やブレーキ手段１５自体に不具合を生じてしまう可能性がある。
【０１４２】
そこで、本実施の形態のディスク装置１では、筐体２が、トレイ３が筐体２から排出された際に、ブレーキ手段１５の回動終端を規制するストッパ１７を有することにより、トレイ３を筐体２から排出する動作に応じて回動支点１５ａを中心に回動するブレーキ手段１５が、ストッパ１７によって必要以上の回動を規制されることで、ブレーキ手段１５のディスク装置１の他の部分への接触が抑制されるので、ディスク装置１の不具合の発生を防ぎ、信頼性の高いディスク装置１を提供できる。
【０１４３】
その後、図２２に示すように、トレイ３が筐体２から完全に引出された場合にも、ブレーキ手段１５はストッパ１７によって係止された状態を保つ。
【０１４４】
以上、図１９乃至図２２を用いて説明してきたように、本実施の形態のディスク装置１では、筐体２にブレーキ手段１５の回動支点１５ａを設けることにより、外部に排出されるトレイ３ではなく、トレイ３を収納する筐体２の内部にブレーキ手段１５の回動支点１５ａを設け、トレイ３が筐体２から外部に排出された際に、ユーザがブレーキ手段１５に触れることを抑制できるので、ブレーキ手段１５の性能の安定を図ることができる。
【０１４５】
また、ブレーキ手段１５をディスク１の排出方向の後半領域に向かって移動することにより、ブレーキ手段１５はトレイ３と共に排出されるディスク１００に追従するように移動するので、ディスク１００の排出を妨げることなくディスク１００の回転を抑制できる。
【０１４６】
また、ブレーキ手段１５をディスク１の排出方向の後半領域に向かって移動することにより、ブレーキ手段１５は筐体２から排出されるディスク１００に追従して、排出されるディスク１００の側面に当接するので、トレイ３に保持されるディスク１００の径の大小に関らず、排出されるディスク１００の回転を抑制できる。
【０１４７】
また、本実施の形態のディスク装置１では、ブレーキ手段１５は、筐体２の排出方向の奥側に回動支点１５ａを有し、また、回動支点１５ａとは反対側の領域にディスク当接部１５ｂを有し、ディスク当接部１５ｂとガイド当接部１５ｃとの距離が、ガイド当接部１５ｃと回動支点１５ａとの距離より長いことにより、回動支点１５ａからディスク当接部１５ｂまでの距離は、回動支点１５ａからガイド当接部１５ｃまでの距離に比べて倍以上の長さを有しており、ガイド当接部１５ｃの移動量に比べてディスク当接部１５ｂの移動量は倍以上に大きくなる。そのため、ガイド当接部１５ｃをトレイ３のガイド３ａに沿わせて小さく移動させるだけで、筐体２の奥の面から離れた位置となる直径の小さなディスク１００の側面位置にディスク当接部１５ｂが到達可能となるので、直径８ｃｍのディスク１００のように直径の小さなディスク１００についても確実にディスク１００の回転を抑制できる。一方、ディスク当接部１５ｂの移動に必要となるガイド当接部１５ｃの移動量は小さくてよく、ガイド当接部１５ｃを沿わせて移動させるトレイ３のガイド３ａ自体を大きく構成する必要がないので、ディスク装置１の大型化を防ぐことができる。
【０１４８】
また、本実施の形態のディスク装置１では、筐体２とブレーキ手段１５とを連結する弾性部材１６を設け、この弾性部材１６が、トレイ３が筐体２から排出される際に、回動支点１５ａを中心にブレーキ手段１５を回動させてブレーキ手段１５をディスク１００の側面に押圧させることにより、ブレーキ手段１５はトレイ３の排出動作に伴って回動し、ディスク１００に近付いていき接触するが、弾性部材１６によって付勢されており、ディスク１００の側面に接触するだけではなく押付けられるので、ディスク１００の回転を確実に抑制することができる。
【０１４９】
なお、本実施の形態のディスク装置１のトレイ３を筐体２に収納する場合の、ブレーキ手段１５の挙動は、以上に説明したトレイ３が排出される場合の逆になり、図２２、図２１、図２０、図１９の順になる。
【０１５０】
図１９に示すようにトレイ３を筐体２に収納して、ガイド当接部１５ｃが、筐体２における奥側に到達した場合、回動支点１５ａとガイド当接部１５ｃとを結ぶ仮想線１５ｇが筐体２の奥の面に沿うことで、ガイド当接部１５ｃが筐体２の奥の面に沿って配置される。
【０１５１】
このように、本実施の形態のディスク装置１では、トレイ３が排出方向の奥側にガイド３ａを有し、ブレーキ手段１５が、ガイド３ａに沿って移動するガイド当接部１５ｃを有し、トレイ３を筐体２に収納した際、ガイド当接部１５ｃが、筐体２における奥側に到達すると、ブレーキ手段１５の回動支点１５ａとガイド当接部１５ｃとを結ぶ仮想線１５ｇが筐体２の奥の面に沿うことで、ブレーキ手段１５が筐体２の奥の面に沿って配置されることにより、トレイ３が筐体２に対して挿入されるに従い、ガイド３ａによってガイド当接部１５ｃが筐体２の奥側に押され、それに伴ってブレーキ手段１５がディスク１００の側面から離れていくので、単純な形状のガイド３ａを設けるだけで、トレイ３の筐体２への収納が完了した状態では、スピンドルモータ７に不要な負荷をかけることなくディスク１００を回転させ、情報の記録や再生を行うことが可能となる。
【０１５２】
また、本実施の形態のディスク装置１では、筐体２が、トレイ３が筐体２から排出された際に、ブレーキ手段１５の回動支点１５ａとガイド当接部１５ｃとを結ぶ仮想線１５ｇが排出方向に対して平行になる前にブレーキ手段１５の回動を規制するように、ブレーキ手段１５の回動終端を規制するストッパ１７を有することにより、ブレーキ手段１５の必要以上の回動を防止できるので、トレイ３を再び筐体２に収納する際に、ガイド当接部１５ｃを確実にガイド３ａに沿わせて筐体２の奥側に移動させることができる。
【産業上の利用可能性】
【０１５３】
本発明にかかるディスク装置は、トレイに保持されるディスクの径の大小に関らず、排出されるディスクの回転を抑制することが必要なディスク装置等の用途にも適用できる。
【図面の簡単な説明】
【０１５４】
【図１】実施の形態１のディスク装置の外観斜視図
【図２】実施の形態１のディスク装置の透視図
【図３】実施の形態１のディスク装置の透視図
【図４】実施の形態１のディスク装置のブレーキ手段を示す図
【図５】実施の形態１のディスク装置のブレーキ手段を示す図
【図６】実施の形態１のディスク装置のブレーキ手段と筐体との結合部分を示す図
【図７】実施の形態１のディスク装置のブレーキ手段と筐体との結合部分を示す図
【図８】実施の形態１のディスク装置の上部筐体部を示す図
【図９】実施の形態１のディスク装置のトレイを示す斜視図
【図１０】実施の形態１のディスク装置のトレイの排出動作を示す図
【図１１】実施の形態１のディスク装置のトレイの排出動作を示す図
【図１２】実施の形態１のディスク装置のトレイの排出動作を示す図
【図１３】実施の形態１のディスク装置のトレイの排出動作を示す図
【図１４】実施の形態１のディスク装置のトレイの排出動作を示す図
【図１５】実施の形態１のディスク装置のトレイの排出動作を示す図
【図１６】実施の形態１のディスク装置のトレイの排出動作を示す図
【図１７】実施の形態１のディスク装置のトレイの排出動作を示す図
【図１８】実施の形態１のディスク装置の弾性部材によって生じる力を示す図
【図１９】実施の形態２のディスク装置のトレイの排出動作を示す図
【図２０】実施の形態２のディスク装置のトレイの排出動作を示す図
【図２１】実施の形態２のディスク装置のトレイの排出動作を示す図
【図２２】実施の形態２のディスク装置のトレイの排出動作を示す図
【符号の説明】
【０１５５】
１    ディスク装置
２    筐体
２ａ    上部筐体部
２ｂ    下部筐体部
２ｃ    螺旋
２ｄ    突起部
３    トレイ
３ａ    ガイド
３ｂ    山型形状内側
３ｃ    山型形状外側
４    光ピックアップモジュール
４ａ    ダンパ
５    レール
６    レール保持部
７    スピンドルモータ
８    カバー
８ａ    開口
９    キャリッジ
１０    ベゼル
１１    イジェクトボタン
１２    イジェクト穴
１３    光ピックアップ
１４    レールガイド
１５    ブレーキ手段
１５ａ    回動支点
１５ｂ    ディスク当接部
１５ｃ    ガイド当接部
１５ｄ    アーム部
１５ｅ    接触部
１５ｆ    スポンジ部
１５ｇ    仮想線
１５ｈ    ベアリング
１６    弾性部材
１７    ストッパ
１７ａ    壁部
１８    固定ブレーキ部材
１００    ディスク
【図１】
2008217923.tif 000003
【図２】
2008217923.tif 000004
【図３】
2008217923.tif 000005
【図４】
2008217923.tif 000006
【図５】
2008217923.tif 000007
【図６】
2008217923.tif 000008
【図７】
2008217923.tif 000009
【図８】
2008217923.tif 000010
【図９】
2008217923.tif 000011
【図１０】
2008217923.tif 000012
【図１１】
2008217923.tif 000013
【図１２】
2008217923.tif 000014
【図１３】
2008217923.tif 000015
【図１４】
2008217923.tif 000016
【図１５】
2008217923.tif 000017
【図１６】
2008217923.tif 000018
【図１７】
2008217923.tif 000019
【図１８】
2008217923.tif 000020
【図１９】
2008217923.tif 000021
【図２０】
2008217923.tif 000022
【図２１】
2008217923.tif 000023
【図２２】
2008217923.tif 000024